(57)【要約】      （修正有）【課題】住宅の庭や地下などに省スペースで設置できる貯水タンクを提供すること。【解決手段】略立方体形状のタンク本体４を備え、タンク本体４の上壁部６には外方に突出する上環状連通突部２０が設けられ、上環状連通突部２０に上密封部材２６が螺着され、タンク本体２の下壁部８には内方に突出する下環状連通突部４２が設けられ、下環状連通突部４２に下密封部材４８が螺着され、また、タンク本体の４側壁部１２，１６には内方に突出する横環状連通突部６２，６４が設けられ、これら横環状連通突部６２，６４に横密封部材７４が螺着される。横密封部材７４を取り外すことによって、貯水タンク２を水平方向（縦方向及び横方向）に接続することができ、上密封部材２６及び下密封部材４８を取り外すことによって、貯水タンク２を上下方向に接続することができる。【選択図】図３
2005139625.tif 000002
【特許請求の範囲】
【請求項１】
略直方体乃至略立方体形状のタンク本体を備え、前記タンク本体の上壁部に外方に突出する上環状連通突部が設けられ、この上環状連通突部の内周面に雌ねじ部が設けられ、前記上環状連通突部の前記雌ねじ部に上密封部材が着脱自在に螺着され、
前記タンク本体の下壁部には内方に突出する下環状連通突部が設けられ、この下環状連通突部の外周面には雄ねじ部が設けられ、前記下環状連通突部の前記雄ねじ部に下密封部材が着脱自在に螺着され、
また、前記タンク本体の４側壁部には、それぞれ、内方に突出する横環状連通突部が設けられ、前記横環状連通突部の外周面には雄ねじ部が設けられ、前記横環状連通突部の前記雄ねじ部に横密封部材が着脱自在に螺着されることを特徴とする貯水タンク。
【請求項２】
複数個の貯水タンクを少なくとも水平方向に接続して構成される貯水槽であって、
前記貯水タンクは略直方体乃至略立方体形状のタンク本体を備え、前記タンク本体の対向する２側壁部には、それぞれ、内方に突出する横環状連通突部が設けられ、これら横環状連通突部の外周面には雄ねじ部が設けられ、前記横環状連通突部の前記雄ねじ部には横密封部材及び連通管接続部材が着脱自在に螺着可能に構成されており、
相互に水平方向に接続される一対の隣接する貯水タンクにおいては、一方の貯水タンクの前記タンク本体の前記横環状連通突部及び他方の貯水タンクの前記タンク本体の前記横環状連通突部を通して連通接続管が装着され、前記一方の貯水タンクの前記横環状連通突部の前記雄ねじ部に前記連通管接続部材を螺着することによって、前記接続連通管の一端部が前記一方の貯水タンクの前記横環状連通突部に密封接続され、前記他方の貯水タンクの前記横環状連通突部の前記雄ねじ部に前記連通管接続部材を螺着することによって、前記接続連通管の他端部が前記他方の貯水タンクの前記横環状連通突部に密封接続されることを特徴とする貯水槽。
【請求項３】
前記タンク本体の４側壁には、それぞれ、内方に突出する前記横環状連通突部が設けられ、前記横環状連通突部の外周面には雄ねじ部が設けられ、前記横環状連通突部の前記雄ねじ部には前記横密封部材及び前記連通管接続部材が着脱自在に螺着可能に構成されていることを特徴とする請求項２に記載の貯水槽。
【請求項４】
前記貯水タンクは、更に、上下方向に接続可能に構成されており、前記タンク本体の上壁部には外方に突出する上環状連通突部が設けられ、前記上環状連通突部の内周面には雌ねじ部が設けられ、前記上環状連通突部の前記雌ねじ部には上密封部材及び接続密封部材が着脱自在に螺着可能に構成されており、また前記タンク本体の下壁部には内方に突出する下環状連通突部が設けられ、前記下環状連通突部の外周面には雄ねじ部が設けられ、前記下環状連通突部の前記雄ねじ部には下密封部材が着脱自在に螺着可能に構成されており、
相互に上下方向に接続される一対の隣接する貯水タンクにおいては、上側の貯水タンクの前記タンク本体の前記下環状連通突部の内周面側に、下側の貯水タンクの前記タンク本体の前記上環状連通突部が嵌合され、前記下側の貯水タンクの前記上環状連通突部の前記雌ねじ部に前記接続密封部材を螺着することによって、前記上側の貯水タンクの前記下環状連通突部と前記下側の貯水タンクの前記上環状連通突部とが密封接続されることを特徴とする請求項２又は３に記載の貯水槽。
【請求項５】
複数個の貯水タンクを少なくとも上下方向に接続して構成される貯水槽であって、
前記貯水タンクは略直方体乃至略立方体形状のタンク本体を備え、前記タンク本体の上壁部には外方に突出する上環状連通突部が設けられ、前記上環状連通突部の内周面には雌ねじ部が設けられ、前記上環状連通突部の前記雌ねじ部には上密封部材及び接続密封部材が着脱自在に螺着可能に構成されており、また前記タンク本体の下壁部には内方に突出する下環状連通突部が設けられ、前記下環状連通突部の外周面には雄ねじ部が設けられ、前記下環状連通突部の前記雄ねじ部には下密封部材が着脱自在に螺着可能に構成されており、
相互に上下方向に接続される一対の隣接する貯水タンクにおいては、上側の貯水タンクの前記タンク本体の前記下環状連通突部の内周面側に、下側の貯水タンクの前記タンク本体の前記上環状連通突部が嵌合され、前記下側の貯水タンクの前記上環状連通突部の前記雌ねじ部に前記接続密封部材を螺着することによって、前記上側の貯水タンクの前記下環状連通突部と前記下側の貯水タンクの前記上環状連通突部とが密封接続されることを特徴とする貯水槽。
【請求項６】
前記接続密封部材には多数の孔乃至スリットが設けられ、前記接続密封部材はフィルタ部材としても機能することを特徴とする請求項４又は５に記載の貯水槽。
【発明の詳細な説明】
【技術分野】
【０００１】
本発明は、雨水やわき水などを貯水するための貯水タンク及び貯水槽に関する。
【背景技術】
【０００２】
従来、家屋、ビル、山などに降った雨水は、家屋、ビルなどに設置された樋を通して道路などに設置した側溝、排水溝などに流れた後に河川に流れ、或いはわき水などとなって河川に流れており、雨水の有効利用が行われていなかった。そこで、雨水の有効利用を図るために、住宅の庭や地下などに貯水タンクを設置し、雨水をこの貯水タンクに一時的に貯めて利用することが提案されている（例えば、特許文献１及び特許文献２参照）。
【０００３】
特許文献１に開示された雨水利用装置は、複数の筒状の貯水タンクと、これらの貯水タンクを連結するための連結管と、貯水タンクの上流に別途設けられた濾過器とから構成されている。雨水は、濾過器を通って雨水に含まれる夾雑物や異物などが除去され、連結管によって連結された貯水タンクに貯留される。雨水の貯水量を増やしたい場合は、貯水タンクの連結数を増やせばよく、貯水タンク同士を連結管で連結することによって、貯水タンクを連結して貯水量を増やすことができる。
【０００４】
また、特許文献２に開示された貯水タンクは、複数の貯水箱が収納可能に地面に設けられた穴と、その穴に敷かれた防水シートと、その防水シート上に水平及び垂直方向に並べられた複数の貯水箱とを備え、その貯水箱の全面を防水シートで覆うことによって水が外部に漏れないようにして構成されている。貯水箱は、例えば、農業用コンテナであり、この農業用コンテナの側面には多数の貫通孔が設けられており、この貯水タンクに導入された雨水は、これらの貫通孔を通って貯水タンクを構成する貯水箱全体に行き渡り、雨水が防水シート内に貯留される。農業用コンテナはその底部を上面にして積み重ねられるので、その上面は車両などの荷重に耐えることができる。
【０００５】
【特許文献１】特開２００３−１３８６１０号公報
【特許文献２】特開２００３−１１３６２５号公報
【発明の開示】
【発明が解決しようとする課題】
【０００６】
しかし、上述した雨水利用装置や貯水タンクにおいても、次の通りの問題がある。例えば、上述した雨水利用装置においては、貯水量を増やす場合、貯水タンクを増設することができるが、貯水タンクの連結は連結管を介して行うために、貯水タンクと貯水タンクの間に余分なスペースが発生して装置自体が大型化するとともに、単位面積当たりの貯水量が少なく、貯水量を多くしようとすると設置面積が広くなる問題がある。日本のように比較的狭い土地に家屋が密集して建築される最近の住宅事情から考えると、このような大型化した雨水利用装置を住宅の庭などに設置することは難しい。
【０００７】
また、上述した貯水タンクにおいては、貯水箱に多数の貫通孔が設けられているため、貯水箱同士を連結するための連結管が不要であり、貯水箱間に余分なスペースが発生することはないが、貯水箱全体を埋設する必要があるため、地下埋設型でしか使用することができないという問題がある。
【０００８】
本発明の目的は、地上及び地下において省スペースで設置可能で、上下方向及び水平方向に容易に接続可能である貯水タンクを提供することである。
また、本発明の他の目的は、貯水タンクを上下方向に接続して貯水量を増やすことができる貯水槽を提供することである。
【０００９】
また、本発明の更に他の目的は、貯水タンクを水平方向に接続して貯水量を増やすことができる貯水槽を提供することである。
【課題を解決するための手段】
【００１０】
本発明の請求項１に記載の貯水タンクは、略直方体乃至略立方体形状のタンク本体を備え、前記タンク本体の上壁部に外方に突出する上環状連通突部が設けられ、この上環状連通突部の内周面に雌ねじ部が設けられ、前記上環状連通突部の前記雌ねじ部に上密封部材が着脱自在に螺着され、
前記タンク本体の下壁部には内方に突出する下環状連通突部が設けられ、この下環状連通突部の外周面には雄ねじ部が設けられ、前記下環状連通突部の前記雄ねじ部に下密封部材が着脱自在に螺着され、
また、前記タンク本体の４側壁部には、それぞれ、内方に突出する横環状連通突部が設けられ、前記横環状連通突部の外周面には雄ねじ部が設けられ、前記横環状連通突部の前記雄ねじ部に横密封部材が着脱自在に螺着されることを特徴とする。
【００１１】
また、本発明の請求項２に記載の貯水槽は、複数個の貯水タンクを少なくとも水平方向に接続して構成される貯水槽であって、
前記貯水タンクは略直方体乃至略立方体形状のタンク本体を備え、前記タンク本体の対向する２側壁部には、それぞれ、内方に突出する横環状連通突部が設けられ、これら横環状連通突部の外周面には雄ねじ部が設けられ、前記横環状連通突部の前記雄ねじ部には横密封部材及び連通管接続部材が着脱自在に螺着可能に構成されており、
相互に水平方向に接続される一対の隣接する貯水タンクにおいては、一方の貯水タンクの前記タンク本体の前記横環状連通突部及び他方の貯水タンクの前記タンク本体の前記横環状連通突部を通して連通接続管が装着され、前記一方の貯水タンクの前記横環状連通突部の前記雄ねじ部に前記連通管接続部材を螺着することによって、前記接続連通管の一端部が前記一方の貯水タンクの前記横環状連通突部に密封接続され、前記他方の貯水タンクの前記横環状連通突部の前記雄ねじ部に前記連通管接続部材を螺着することによって、前記接続連通管の他端部が前記他方の貯水タンクの前記横環状連通突部に密封接続されることを特徴とする。
【００１２】
また、本発明の請求項３に記載の貯水槽では、前記タンク本体の４側壁には、それぞれ、内方に突出する前記横環状連通突部が設けられ、前記横環状連通突部の外周面には雄ねじ部が設けられ、前記横環状連通突部の前記雄ねじ部には前記横密封部材及び前記連通管接続部材が着脱自在に螺着可能に構成されていることを特徴とする。
【００１３】
また、本発明の請求項４に記載の貯水槽では、前記貯水タンクは、更に、上下方向に接続可能に構成されており、前記タンク本体の上壁部には外方に突出する上環状連通突部が設けられ、前記上環状連通突部の内周面には雌ねじ部が設けられ、前記上環状連通突部の前記雌ねじ部には上密封部材及び接続密封部材が着脱自在に螺着可能に構成されており、また前記タンク本体の下壁部には内方に突出する下環状連通突部が設けられ、前記下環状連通突部の外周面には雄ねじ部が設けられ、前記下環状連通突部の前記雄ねじ部には下密封部材が着脱自在に螺着可能に構成されており、
相互に上下方向に接続される一対の隣接する貯水タンクにおいては、上側の貯水タンクの前記タンク本体の前記下環状連通突部の内周面側に、下側の貯水タンクの前記タンク本体の前記上環状連通突部が嵌合され、前記下側の貯水タンクの前記上環状連通突部の前記雌ねじ部に前記接続密封部材を螺着することによって、前記上側の貯水タンクの前記下環状連通突部と前記下方の貯水タンクの前記上環状連通突部とが密封接続されることを特徴とする。
【００１４】
また、本発明の請求項５に記載の貯水槽は、複数個の貯水タンクを少なくとも上下方向に接続して構成される貯水槽であって、
前記貯水タンクは略直方体乃至略立方体形状のタンク本体を備え、前記タンク本体の上壁部には外方に突出する上環状連通突部が設けられ、前記上環状連通突部の内周面には雌ねじ部が設けられ、前記上環状連通突部の前記雌ねじ部には上密封部材及び接続密封部材が着脱自在に螺着可能に構成されており、また前記タンク本体の下壁部には内方に突出する下環状連通突部が設けられ、前記下環状連通突部の外周面には雄ねじ部が設けられ、前記下環状連通突部の前記雄ねじ部には下密封部材が着脱自在に螺着可能に構成されており、
相互に上下方向に接続される一対の隣接する貯水タンクにおいては、上側の貯水タンクの前記タンク本体の前記下環状連通突部の内周面側に、下側の貯水タンクの前記タンク本体の前記上環状連通突部が嵌合され、前記下側の貯水タンクの前記上環状連通突部の前記雌ねじ部に前記接続密封部材を螺着することによって、前記上側の貯水タンクの前記下環状連通突部と前記下側の貯水タンクの前記上環状連通突部とが密封接続されることを特徴とする。
【００１５】
また、本発明の請求項６に記載の貯水槽では、前記接続密封部材には多数の孔乃至スリットが設けられ、前記接続密封部材はフィルタ部材としても機能することを特徴とする。
【発明の効果】
【００１６】
本発明の請求項１に記載された貯水タンクによれば、略直方体乃至略立方体形状のタンク本体の４側壁部には内方に突出する横環状連通突部が設けられ、かかる横環状連通突部の雄ねじ部に横密封部材が着脱自在に螺着されるので、横密封部材を取り外して他の貯湯タンクのタンク本体の横環状連通突部に所要の通りに接続することによって、別の貯水タンクを水平方向に（即ち、縦方向及び横方向）に接続することができる。
【００１７】
また、このタンク本体の上壁部に外方に突出する上環状連通突部が設けられ、この上環状連通突部の雌ねじ部に上密封部材が着脱自在に螺着され、またタンク本体の下壁部に内方に突出する下環状連通突部が設けられ、この下環状連通突部の雄ねじ部に下密封部材が着脱自在に装着されるので、上密封部材を取り外して他の貯水タンクのタンク本体の下環状連通突部に所要の通りに接続することによって、この貯水タンクの上方向に別の貯水タンクを接続することができ、また下密封部材を取り外して他の貯水タンクのタンク本体の上環状連通突部を所要の通りに接続することによって、この貯水タンクの下方向に別の貯水タンクを接続することができる。このように、この貯水タンクは単体でも使用できるが、多量の雨水などを貯水したい場合、貯水タンクを水平方向に、また上下方向に接続することができ、設置スペースを考慮しながら貯水タンクを増設することによって、所望の貯水量を確保することができる。
【００１８】
また、タンク本体の横環状連通突部が内方に突出しているので、貯水タンクを水平方向に接続する場合、水平方向に隣接する貯水タンクを接触するように配置して接続することができ、水平方に接続設置する場合の無駄なスペースの発生を防止することができる。また、タンク本体の上環状連通突部が外方に突出し、その下環状連通突部が内方に突出しているので、貯水タンクを上下方向に接続する場合、上環状連通突部が他方のタンク本体の下環状連通突部内に嵌合するように構成することによって、上下方向に隣接する貯水タンクを接触するように配置して接続することができ、上下方向に接続設置する場合の無駄なスペースの発生を防止することができる。
【００１９】
また、本発明の請求項２に記載された貯水槽によれば、タンク本体の対向する２側壁部には内方に突出する横環状連通突部が設けられ、かかる横環状連通突部に設けられた雄ねじ部に横密封部材及び連通管接続部材が着脱自在に螺着される。他の貯水タンクを接続しない横環状連通突部には横密封部材が螺着され、この横密封部材により横環状連通突部が密封される。また、他の貯水タンクが接続される横環状連通突部には連通管接続部材が螺着される。即ち、貯水タンクを接続する場合、一方の貯水タンクの横環状連通突部及び他方の貯水タンクの横環状連通突部を通して連通接続管が装着され、これら横環状連通突部の雄ねじ部に連通管接続部材を螺着することによって、両貯水タンクの横環状連通突部に連通接続管の両端部が密封接続され、隣接する貯水タンクを連通接続管を介して密封接続することができ、その接続も無駄なスペースが発生することなく行うことができる。また、横環状連通突部はタンク本体の対向する２側壁部に設けられているので、貯水タンクを水平方向の所定方向（即ち、横環状連通突部が設けられた方向）に複数接続して貯水量を増やすことができる。
【００２０】
また、本発明の請求項３に記載された貯水槽によれば、タンク本体の４側壁部に内方に突出する横環状連通突部が設けられているので、各側壁部の横環状連通突部を利用して他の貯水タンクを接続することができ、従って、貯水タンクを水平方向の所定方向及びこの所定方向に対して垂直な方向（換言すると、貯水槽の縦方向及び横方向）に複数接続して貯水量を増やすことができる。
【００２１】
また、本発明の請求項４に記載された貯水槽によれば、タンク本体の上壁部には外方に突出する上環状連通突部が設けられ、この上環状連通突部の雌ねじ部に上密封部材及び接続密封部材が着脱自在に螺着される。また、タンク本体の下壁部には内方に突出する下環状連通突部が設けられ、この下環状連通突部の雄ねじ部に下密封部材が着脱自在に装着される。貯水タンクを上下方向に接続する場合、上側の貯水タンクの下環状連通突部に螺着された下密封部材が取り外され、また下側の貯水タンクの上環状連通突部に螺着された上密封部材が取り外される。そして、上側の貯水タンクの下環状連通突部の内周面側に下側貯水タンクの上環状連通突部が嵌合され、下側の貯水タンクの上環状連通突部に接続密封部材を螺着することによって、上側の貯水タンクの下環状連通突部と下側の貯水タンクの上環状連通突部とが密封接続され、このように接続することによって、貯水タンクを上下方向にも複数接続することができ、その接続を無駄なスペースが発生することなく行うことができる。
【００２２】
また、本発明の請求項５に記載された貯水槽によれば、タンク本体の上壁部に外方に突出する上環状連通突部が設けられ、この上環状連通突部の雌ねじ部に上密封部材及び接続密封部材が着脱自在に螺着され、またタンク本体の下壁部に内方に突出する下環状連通突部が設けられ、この下環状連通突部に下密封部材が着脱自在に螺着されるので、上述したように、上側の貯水タンクの下環状連通突部と下側の貯水タンクの上環状連通突部とを密封接続することができ、貯水タンクを上下方向に複数接続して貯水量を増やすことができる。
【００２３】
また、本発明の請求項６に記載された貯水槽によれば、接続密封部材には多数の孔又はスリットが設けられてフィルタ部材としても機能するので、上側の貯水タンクから下側の貯水タンクに水（例えば、雨水）が流れる際に、この水に含まれたゴミ、異物などが除去され、下側の貯水タンクに流れる水をきれいにすることができる。
【発明を実施するための最良の形態】
【００２４】
以下、添付図面を参照して、本発明に従う貯水タンク及び貯水槽の最良の実施形態について説明する。
まず、図１〜図３を参照して、本発明の貯水タンクの一実施形態について説明する。図１は、一実施形態の貯水タンクを示す上から見た斜視図であり、図２は、図１の貯水タンクを下から見た斜視図であり、図３は、図１の貯水タンクにおけるＩＩＩ−ＩＩＩ線による断面図である。
【００２５】
図１〜図３において、図示の貯水タンク２は、略直方体乃至立方体形状のタンク本体４を備え、このタンク本体４は、上壁部６と、下壁部８と、上壁部６及び下壁部８との間に設けられた４側壁部１０，１２，１４，１６とを有し、これらの壁部６〜１６によって貯水空間１８を規定し、この貯水空間１８に雨水などの水が貯水される。
【００２６】
このタンク本体４は、単独の貯水タンクとして使用することができるが、上下方向に接続して貯水槽として使用することができ、上下方向に接続可能とするために、次の通りに構成されている。即ち、上壁部６の中央部には外方に突出する上環状連通突部２０が設けられ、この上環状連通突部２０の内周面に雌ねじ部２２が設けられている。この上環状連通突部２０は上流路２４を規定し、単独で使用する場合には上密封部材２６が着脱自在に螺着され、上側に他の貯水タンク２を接続する場合には後述する接続密封部材２８（図８参照）が着脱自在に螺着される。
【００２７】
上密封部材２６は円形状の密封蓋部２８を有し、この密封蓋部２８の外周部に外周壁部３０が設けられ、この外周壁部３０の径方向内側に内周壁部３２が設けられ、内周壁部３２の外周面に雄ねじ部３４が設けられている。上密封部材２６の内周壁部３２の雄ねじ部３４が上環状連通突部２０の雌ねじ部２２に螺着され、このように螺着することによって、上密封部材２６は上環状連通突部２０の上流路２４を密封する。上密封部材２６による密封を確実にするために、外周壁部３０と内周壁部３２との間に環状シール３６を設けるのが好ましく、かく環状シール３６を設けることによって、上密封部材２６の密封蓋部２８と上環状連通突部２０の端面との間を確実にシールすることができる。
【００２８】
また、下壁部８の中央部には内方に突出する下環状連通突部４２が設けられ、この下環状連通突部４２の外周面に雄ねじ部４４が設けられている。この下環状連通突部４２は下流路４６を規定し、単独で使用する場合には下密封部材４８が着脱自在に螺着され、下側に他の貯水タンク２を接続する場合には開放状態に保たれる。この形態では、下環状連通突部４２の内径は上環状連通突部２０の外径よりも幾分大きく、貯水タンク２を上下方向に接続するときには、下側の貯水タンク２の上環状連通突部２０が上側の貯水タンク２の下環状連通突部４２の内周側に嵌合されるようになる。
【００２９】
下密封部材４８は円形状の密封蓋部５０を有し、この密封蓋部５０の外周部に周壁部５２が設けられ、この周壁部５２の内周面に雌ねじ部５４が設けられている。下密封部材４８の周壁部５２の雄ねじ部５４が下環状連通突部４２の雌ねじ部４４に螺着され、このように螺着することによって、下密封部材４８は下環状連通突部４２の下流路４６を密封する。下密封部材４８による密封を確実にするために、周壁部５２の径方向内側に環状シール５６を設けるのが好ましく、かく環状シール５６を設けることによって、下密封部材４８の密封蓋部５０と下環状連通突部４２の端面との間を確実にシールすることができる。
【００３０】
この実施形態では、タンク本体４の上壁部６の４角部近傍に、矩形状の位置決め凹部５８が設けられ、またその下壁部８の４角部近傍に、位置決め凹部５８に対応して位置決め凸部６０が設けられている。貯水タンク２を上下方向に接続する場合、上側の貯水タンク２の位置決め凸部６０が下側の貯水タンク２の位置決め凹部５８内に位置付けられ、このように位置決め凸部６０と位置決め凹部５８とを係合させることによって、下側の貯水タンク２と上側の貯水タンク２とを所定の位置関係に確実に保つことができる。尚、上述した構成と反対に、上壁部６に位置決め凸部を設けるとともに、下壁部８に位置決め凹部を設けるようにしてもよい。また、位置決め凸部及び位置決め凹部の形状も適宜の形状、例えば円形状などでよい。
【００３１】
このタンク本体４は、また、水平方向に接続して貯水槽として使用することができ、水平方向に接続可能とするために、更に次の通りに構成されている。この実施形態では、４側壁１０，１２，１４，１６には、それぞれ、一対の横環状連通突部６２，６４が設けられている。各側壁部１０〜１６の横環状連通突部６２，６４及びこれらに関する構成は実質上同一であり、以下側壁１２の横環状連通突部６２，６４について説明する。一対の横環状連通突部６２，６４は、側壁部１２の幅方向中央の下端部及び上端部に内方に突出するように設けられ、各横環状連通突部６２，６４の外周面に雄ねじ部６６，６８が設けられている。一対の横環状連通突部６２，６４は横下流路７０及び横上流路７２を規定し、単独で使用する場合には横密封部材７４が着脱自在に螺着され、水平方向に他の貯水タンク２を接続する場合には後述する連通管接続部材７６（図５、図６参照）が着脱自在に螺着される。
【００３２】
横密封部材７４は下密封部材４８と実質上同様の構成であり、円形状の密封蓋部７６を有し、この密封蓋部７６の外周部に周壁部７８が設けられ、この周壁部７８の内周面に雌ねじ部８０が設けられている。横密封部材７４の周壁部７８の雌ねじ部８０が横環状連通突部６４（６２）の雄ねじ部６８（６６）に螺着され、このように螺着することによって、横密封部材７４は横環状連通突部６４（６２）の横上流路７２（横下流路７０）を密封する。横密封部材７４による密封を確実にするために、周壁部７８の径方向内側に環状シール８２を設けるのが好ましく、かく環状シール８２を設けることによって、横密封部材７４の密封蓋部７６と横環状連通突部６４（６２）の端面との間を確実にシールすることができる。
【００３３】
このような貯水タンク２のタンク本体４は、例えば一辺が６０ｃｍ程度の立方体形状に形成され、横環状連通突部６２，６４の内径が２〜６ｃｍ程度に、上環状連通突部２０の内径が８〜１２ｃｍ程度に、下環状連通突部４２の内径が９〜１３ｃｍ程度に形成される。また、タンク本体４の材質は、ポリエチレン、強化プラスチック又はＡＢＳ樹脂などの一般的な樹脂材料から形成することができる。
【００３４】
上述した貯水タンク４を単独で用いる場合、図３に示すようにして用いられる。即ち、下環状連通突部４２に下密封部材４８が螺着され、４側壁部１０〜１６の横環状連通突部６２，６４に横密封部材７４が螺着され、また上環状連通突部２０に上密封部材２６が螺着され、例えば、上密封部材２６を開封して雨水などの水が貯水空間１８に満たされ、また溜まった水の取水が行われる。
【００３５】
貯水空間１８内の水の取水を容易にするために、例えば図９に示すような取水接続部材８４を用いるようにしてもよい。図９を参照して、取水接続部材８４はキャップ状の取付部８６を有し、この取付部８６に取水コック８８が設けられている。この取水取付部材８４は、下側の横環状連通突部６２の任意の一つに横密封部材７４に代えて取り付けられ、その取付けは、取付部８６に設けられた雌ねじ部を横環状連通突部６２の雄ねじ部６８に螺着することにより行いことができ、取水接続部材８４を取り付けた場合、取水コック８８を開栓することによって、貯水空間１８内の水を取水することができる。
【００３６】
〔第１の使用形態〕
上述した貯水タンク２は、水平方向に接続して貯水空間の容積を増やすことができる。図４〜図６は、貯水タンク２を水平方向に接続した貯水槽の第１の実施形態を示しており、図４は、第１の実施形態の貯水槽を示す平面図であり、図５は、図４の貯水槽の隣接する貯水タンクの接続部を示す部分断面図であり、図６は、図５の貯水タンクの接続部を貯水タンクの内部から見た部分斜視図である。
【００３７】
図４において、この貯水槽９０では、縦方向に二つ、横方向に二つと合計４つの貯水タンク２が水平方向に接続されている。貯水タンク２の接続は、隣接する貯水タンク２の両側壁部（相互に対向する側壁部）に設けられた一対横環状連通突部６２，６４を連通接続管９２を介して連通することによって行われる。以下、一方の貯水タンク２の例えば側壁部１２に設けられた横環状連通突部６２（６４）と他方の貯水タンク２の例えば側壁部１６に設けられた横環状連通突部６２（６４）との接続について説明するが、他の横環状連通突部６２（６４）相互間の接続も同様にして行われる。
【００３８】
図５及び図６を参照して、隣接する貯水タンク２を接続するときには、横密封部材７４に代えて、連通接続管９２及び連通管接続部材９４が用いられる。連通接続管９２は例えば中空パイプから構成され、その外径は貯水タンク２の横環状連通突部６２（６４）の内径と実質上等しい又はこれよりも幾分小さく小さく形成される。また、連通管接続部材９４は円形状の密封支持部９６を有し、この密封支持部９６の外周部に周壁部９８が設けられ、周側壁９８の内周面に雌ねじ部１００が設けられている。また、密封支持部９６の中央部には、連通接続管９２の外径に対応する開口１０２が設けられている。
【００３９】
隣接する貯水タンク２を接続するには、一方の貯水タンク２の例えば側壁部１２の横環状連通突部６２（６４）に螺着された横密封部材７４を取り外すとともに、他方の貯水タンク２の例えば側壁部１６（一方の貯水タンク２の側壁部１２に対応する側壁部）１６の横環状連通突部６２（６４）に螺着された横密封部材７４を取り外す。そして、例えば、一方の貯水タンク２側からその横環状連通突部６２（６４）及び他方の貯水タンク２の横環状連通突部６２（６４）を通して連通接続管９２を挿入し、図５に示すように、連通接続管９２の一端側（図５において左端部）が一方の貯水タンク２内に突出し、その他端部（図５において右端部）が他方の貯水タンク２内に突出するようにする。
【００４０】
その後、連通接続管９２の一端部が開口１０２内に挿入されるように連通接続部材９４を被嵌し、その周壁部９８の雌ねじ部１００を一方の貯水タンク２の横環状連通突部６２（６４）の雄ねじ部６６（６８）に螺着し、連通接続管９２の一端部を一方の貯水タンク２に接続する。また、連通接続管９２の他端側についても、その他端部が開口１０２内に挿入されるように連通接続部材９４を被嵌し、その周壁部９８の雌ねじ部１００を他方の貯水タンク２の横環状連通突部６２（６４）の雄ねじ部６６（６８）に螺着し、連通接続管９２の他端部を他方の貯水タンク２に接続する。このように接続すると、図５に示すように、一方の貯水タンク２の貯水空間１８と他方の貯水タンク２の貯水空間１８とが連通接続管９２を介して連通され、かかる連通接続管９２を通して水、空気が流れる。この接続状態においては、隣接する貯水タンク２の対向する側壁部１２，１６が接触するように接続され、両貯水タンク２間に無駄なスペースが生じることなく両者を接続することができる。尚、一対の貯水タンク２の下側の横環状連通突部６２に装着される連通接続管９２は、主として水が流れる水流路として機能し、それらの上側の横環状連通突部６２に装着される連通接続管９２は、主として空気が流れる空気流路として機能する。
【００４１】
連通接続部材９４による密封性を高めるために、その周壁部９８の径方向内側に環状シール１０４を設けるのが好ましく、かく環状シール１０４を設けることによって、連通接続部材９４の密封支持部９６と、横環状連通突部６２（６４）と、連通接続管９２との間をより確実にシールすることができる。
【００４２】
この実施形態では、４つの貯水タンク２を接続しているが、図４から理解されるように、２個以上の任意の個数の貯水タンクを設置すべき区画形状に対応して水平方向に接続することができ、住宅の庭の僅かなスペースやベランダあるいは地下などに設置することが可能である。尚、貯水タンク２を一方向に、例えば縦方向（又は横方向）に接続する場合には、貯水タンク２の４側壁部１０〜１６の全てに一対の横環状連通突部６２，６４を設ける必要はなく、対向する２側壁部１０，１４（又は１２，１６）に横環状連通突部６２，６４を設けるようにしればよい。
【００４３】
〔第２の使用形態〕
第１の使用形態では貯水タンクを水平方向に接続しているが、この貯水タンク２を上下方向に接続して貯水空間の容積を増やすことができる。図７及び図８は、貯水タンク２を上下方向に接続した貯水槽の第２の実施形態を示しており、図７は、第２の実施形態の貯水槽を示す断面図であり、図８は、図７の貯水槽の隣接する貯水タンクの接続部を示す部分断面図である。
【００４４】
図７において、この貯水槽１２０では、３つの貯水タンク２が上下方向に接続されている。貯水タンク２の接続は、上下方向に隣接する貯水タンク２の上環状連通突部２０と下環状連通突部４２とを連通することによって行われる。以下、最下位（下側）の貯水タンク２の上壁部６に設けられた上環状連通突部２０と下から２番目（上側）の貯水タンク２の下壁部８に設けられた下環状連通突部４２との接続について説明するが、他の貯水タンク２相互間の接続も同様にして行われる。
【００４５】
図７及び図８を参照して、上下隣接する貯水タンク２を接続するときには、上密封部材２６及び下密封部材４８に代えて、接続密封部材１２２が用いられる。接続密封部材１２２は円形状の密封蓋部１２４を有し、この密封蓋部１２４の外周部に周壁部１２６が設けられ、この周側壁１２６の外周面に雄ねじ部１２８が設けられている。この密封蓋部１２４には、また、例えば円形状の孔１３０が多数設けられており、これら孔１３０を通して水、空気が流れる。尚、孔１３０に代えて、スリットを設けるようにしてもよい。
【００４６】
貯水タンク２を上下方向に接続するには、下側の貯水タンク２の上壁部６の上環状連通突部２０に螺着された上密封部材２６を取り外すとともに、上側の貯水タンク２の下壁部８の下環状連通突部２０に螺着された下密封部材４８を取り外す。そして、下側の貯水タンク２の上側に上側の貯水タンクを載せて下側の貯水タンク２の上環状連通突部２０を上側の貯水タンク２の下環状連通突部４２の内周側に挿入して嵌合する。この載置状態においては、上側の貯水タンク２の位置決め凸部６０（図２参照）が下側の貯水タンク２の位置決め凹部５８（図１参照）に係合される。
【００４７】
その後、接続密封部材１２２の周壁部１２６の雄ねじ部１２８を下側の貯水タンク２の上環状連通突部２０の雌ねじ部２２に螺着する。かくすると、図８に示すように、下側の貯水タンク２の上環状連通突部２０の上流路２４と上側の貯水タンク２の下環状連通突部４２の下流路４６とが連通され、これら流路２４，４６を通して水、空気が流れ、接続密封部材１２２を通して流れる際に、孔１３０が設けられた密封蓋部１２４がフィルタ部材として機能し、水などに含まれたゴミ、異物の下流側への流れを防止することができる。この接続状態においては、下側の貯水タンク２の上壁部６と上側の貯水タンク２の下壁部８とが接触するように接続されるので上下方向に隣接した貯水タンク２間に無駄なスペースが発生することがない。
【００４８】
接続密封部材１２２による密封性を高めるために、その周壁部１２６の径方向外側に環状シール１３４を設けるのが好ましく、かく環状シール１３４を設けることによって、接続密封部材１２２の密封蓋部１２４と、下側の貯水タンク２の上環状連通突部２０と、上側の貯水タンク２の下環状連通突部４２との間をより確実にシールすることができる。
【００４９】
この実施形態では、３つの貯水タンク２を接続しているが、図７から理解されるように、２個又は４個以上の任意の個数の貯水タンク２を上下方向に接続することができる。尚、貯水タンク２を上下方向にのみ接続する場合、その４側壁１０〜１６に設けた横環状連通突部６２，６４を省略し、最下位の貯水タンク２に例えば取水接続部材８４（図９参照）を取り付けるようにすればよい。
【００５０】
〔第３の使用形態〕
次に、図９を参照して、第３の実施形態の貯水槽について説明する。図９は、第３の実施形態の貯水槽を簡略的に示す断面図である。
この貯水槽１４０は、貯水タンク２の第１の使用形態（水平方向に接続する形態）と第２の使用形態（上下方向に接続する形態）とを組み合わせて適したものである。図９において、この貯水槽１４０は、貯水タンク２を上下方向（図９において縦方向）に、例えば住宅１４２の屋根１４４近くまで重ねて構成される第１貯水槽部１４６と、貯水タンク２を水平方向（図９において横方向）に並べて地下に埋設されて構成される第２貯水槽部１４８とから構成される。第１貯水槽部１４６の最上位の貯水タンク２の例えば側壁部１２の上側の横環状連通突部６４には、例えば管状部材から構成される連通管１５０が接続され、連通管１５０の一端は地面に設置された排水溝１５１に接続されている。また、第２貯水槽部１４８の貯水タンク２の例えば側壁部１２の上側横環状連通突部６４には、例えば管状部材から構成される連通管１５２が接続され、連通管１５２の一端が排水溝１５１の下部に接続されており、第１貯水槽部１４６と第２貯水槽部１４８とが連通管１５０、排水溝１５１及び連通管１５２を介して接続されている。
【００５１】
また、第２貯水槽部１４８の貯水タンク２の上環状連通突部２０には、例えば管状部材から構成される連通管１５３が挿入され、連通管１５３の一端部は上環状連通突部２０を通してその底部まで延びている。この連通管１５３には、第２貯水槽部１４８に貯留された水（例えば、雨水）を吸い上げるためのポンプ装置１５４が配設され、このポンプ装置１５４には、連通管１５３を通ってきた雨水を取水するための取水口１５５が取り付けられている。更に、第１貯水槽部１４６の最下位の貯水タンク２の例えば側壁部１６の下側の横環状連通突部６２に取水接続部材８４が上述したように取り付けられる。
【００５２】
この貯水槽１４０においては、屋根１４４に降った雨は、その表面に沿って流れて樋１５６に集められ、この樋１５６から管状部材１５８を通して第１貯水槽部１４６の最上位の貯水タンク２の上環状連通突部２０から流入し、第１貯水槽部１４６の貯水空間に貯留される。最上位の貯水タンク２の上環状連通突部２０にはフィルタ部材を取り付ける（例えば、上述した接続密封部材１２２を上環状連通突部２０に装着する）のが好ましく、フィルタ部材を設けることによって、雨水に含まれる屋根からの夾雑物や異物を除去することができる。雨水が溜まって第１貯水槽部１４６の最上位の貯水タンク２まで達すると、流入した雨水は連通管１５０を通って排水溝１５１に導入され、更に連通管１５２を通って第２貯水槽部１４８に流入し、第２貯水槽部１４８においても雨水が貯留される。
【００５３】
貯水槽１４０から取水する場合、取水接続部材８４の取水コック８８を開栓すればよく、かく開栓すると、第１貯水槽部１４６に貯留した雨水をこの接続取水部材８４から取水することができる。また、ポンプ装置１５４を作動させると、連通管１５３を通して第２貯水槽部１４８に貯留された雨水を取水口１５５から取水することができる。取水口１５５にホースなどを接続すれば、第２貯水槽部１４８に貯留された雨水を直接、田畑などに散布することができる。
【００５４】
以上、本発明に従う貯水タンク及びそれらを用いた貯水槽の各種実施形態について説明したが、本発明はかかる実施形態に限定されるものではなく、本発明の範囲を逸脱することなく種々の変形乃至修正が可能である。
【００５５】
例えば、貯水タンク２を上下方向に高く重ねた場合に横転するおそれが生じるが、横転を防止するために、例えば図１０に示すように構成することができる。図１０において、貯水タンク２の上壁部６に設けた位置決め凹部５８の外面部１６２を内方に向けて外側に傾斜するようにして係止部を構成する。また、プレート状の横転防止部材１６４の一端部を下側の貯水タンク２と上側の貯水タンク２との間を横転防止部材導入溝１５７を通して挿入し、その先端係止部１６６を位置決め凹部５８の係止部に係合し、横転防止部材１６４の他端部を例えば家屋の一部に取り付けるようにする。このように横転防止部材１６４を取り付けることによって、上下方向に載置した貯水タンク２の横転を防止することができる。
【００５６】
また、上述した貯水タンク２では、タンク本体４の各側壁部１０〜１６に一対の横環状連通突部６２，６４を設けているが、各側壁部１０〜１６に３つ以上の横環状連通突部を設けるようにしてもよい。
【産業上の利用可能性】
【００５７】
貯水タンクを密接して水平方向に並べるとともに垂直方向に重ねて貯水槽を構成することができるので、住宅の庭やベランダ、地下などに省スペースで設置することができる。特に、雨水の貯留に適用することによって、雨水を効率よく貯留し、雨水を有効利用して水道水の使用を少なく抑えることができる。
【図面の簡単な説明】
【００５８】
【図１】本発明に従う貯水タンクの一実施形態を示す上方から見た斜視図である。
【図２】図１の貯水タンクを下方から見た斜視図である。
【図３】図１の貯水タンクにおけるＩＩＩ−ＩＩＩ線による断面図である。
【図４】第１の実施形態の貯水槽を示す平面図である。
【図５】図４の貯水槽の隣接する貯水タンクの接続部を示す部分断面図である。
【図６】図５の貯水タンクの接続部を貯水タンクの内部から見た部分斜視図である。
【図７】第２の実施形態の貯水槽を示す断面図である。
【図８】図７の貯水槽の隣接する貯水タンクの接続部を示す部分断面図である。
【図９】第３の実施形態の貯水槽を簡略的に示す断面図である。
【図１０】貯水タンクの横転防止構造の一例を示す部分断面図である。
【符号の説明】
【００５９】
２  貯水タンク
４  タンク本体
６  上壁部
８  下壁部
１０，１２，１４，１６  側壁部
１８  貯水空間
２０  上環状連通突部
２６  上密封部材
４２  下環状連通突部
４８  下密封部材
６２，６４  横環状連通部材
７４  横密封部材
９０，１２０，１４０  貯水槽
９２  連通接続管
９４  連通接続部材
１２２  接続密封部材
１４０  第１貯水槽部
１４８  第２貯水槽部
【図１】
2005139625.tif 000003
【図２】
2005139625.tif 000004
【図３】
2005139625.tif 000005
【図４】
2005139625.tif 000006
【図５】
2005139625.tif 000007
【図６】
2005139625.tif 000008
【図７】
2005139625.tif 000009
【図８】
2005139625.tif 000010
【図９】
2005139625.tif 000011
【図１０】
2005139625.tif 000012